(57)【要約】      （修正有）【課題】節句飾りがコンパクト化しても、家紋の取り付け場所を考慮することで、従前のように格式ある贈答品にふさわしい、品格のある家紋を取り付けることが可能な、節句飾りを提供する。【解決手段】節句飾り本体２と、節句飾り本体が収容される方形立方体状の収容ケース３からなる節句飾り１であって、節句飾り本体が位置固定された底板４と、節句飾り本体の後方に立設される背板５と、節句飾り本体前面側より少なくとも背板上部が透視される透視板とよりなる方形立方体状の収容ケースと、透視板に透視される背板に突設された状態で背板に固設される円形台座６と、節句飾りの節句に対応する夫々異なる画像が描画された円形のシール板１０と、円形台座の表面に形成され円形のシール板を選択可能に取り付けるシール板取付け面とを具備する。【選択図】図２
0003185461.tif 000002
【実用新案登録請求の範囲】
【請求項１】
節句飾り本体と、該節句飾り本体が収容される方形立方体状の収容ケースからなる節句飾りであって、
前記節句飾り本体が位置固定された底板と、
前記節句飾り本体の後方に立設される背板と、
前記節句飾り本体前面側より少なくとも前記背板上部が透視される透視板とよりなる方形立方体状の収容ケースと、
前記透視板に透視される背板に突設された状態で該背板に固設される円形台座と、
節句飾りの節句に対応する夫々異なる画像が描画された円形のシール板と、
前記円形台座の表面に形成され前記円形のシール板を選択可能に取り付けるシール板取付け面と、
を具備することを特徴とする節句飾り。
【請求項２】
前記円形のシール板に形成される画像は、前記節句飾りの送り先若しくは送り元の家紋であることを特徴とする請求項１記載の節句飾り。
【請求項３】
前記シール板に形成される画像は、前記節句飾りの送り先若しくは送り元の記念の写真であることを特徴とする請求項１記載の節句飾り。
【請求項４】
前記シール板に形成される画像は、前記節句飾りの送り先若しくは送り元の記念のメッセージであることを特徴とする請求項１記載の節句飾り。
【請求項５】
前記円形台座に設けられたシール板取付け面は中心軸に同心状に形成される円形凹部であって、該凹部に前記シール板を粘着する粘着材を介して面一となるように形成されることを特徴とする請求項１記載の節句飾り。
【請求項６】
前記円形台座は、前記背板に固定する固定具を備え、該固定具は、前記円形台座の凹部に埋没させる構成としている、ことを特徴とする請求項５記載の節句飾り。
【請求項７】
前記背板の裏面には、前記固定具を覆う第２のシールが設けられていることを特徴とする請求項６記載の節句飾り。
【請求項８】
前記背板は、前記方形立方体状の収容ケースの一辺上にヒンジを介して開閉可能に取着されている、
ことを特徴とする請求項１から７のいずれか１項に記載の節句飾り。
【請求項９】
前記収容ケースは、前記背板および底板を除く三面の側面と上面により前記節句飾り本体を囲繞する透明ケース体と、前記背板と底板が一体化した非透明体とを有し、
該透明ケース体は、前記非透明体に対し、ヒンジを介して開閉可能に取着されている、
ことを特徴とする請求項１から７のいずれか１項に記載の節句飾り。
【請求項１０】
前記収容ケースは、前記背板を除く三面の側面と上面により前記節句飾り本体を囲繞する透明ケース体と、非透明体からなる背板とを有し、
前記背板は、前記透明ケース体に対し、ヒンジを介して開閉可能に取着されている、
ことを特徴とする請求項１から７のいずれか１項に記載の節句飾り。
【請求項１１】
前記節句飾り本体は、五月人形、三月人形、あるいは兜および弓矢のいずれかである、ことを特徴とする請求項１から１０のいずれか１項に記載の節句飾り。
【考案の詳細な説明】
【技術分野】
【０００１】
本考案は節句飾りに関し、特には、節句人形その他の節句飾りを載置する置台として利用できると共に、家紋やその他、送り元や送り先の記念写真、言葉などを付したシールなどを自在に取付けできるようにした、節句飾りに関するものである。
【背景技術】
【０００２】
従来、子供が誕生して節句を初めて迎える場合等にあっては、子供の成長と幸福を祈ると共に、子供の身代わりとなって厄を受けるという由来があり、成長の節目、節目に両親や祖父母等から子供に人形類（三月節句人形、五月節句人形等）を贈ることが習わしとなっている。
そのために、節句人形の置台を収めた三方ガラス張りの透明ケース体を、住宅の居間や応接間などに展示し、観賞用として、装飾品として、縁起物の一種として、来客、家族，縁者等の間で、好適な話題の提供に一役買っている。
【０００３】
ところで、かかる節句飾りには、箱本体と蓋体とからなる箱体内に雛人形や道具や幕板や屏風等を収納できるように形成し、載置台として使用する際には、これらを取出して箱体にセットするように構成されたものがある。（特許文献１参照）。
【０００４】
また、このような節句飾りに送り先の家紋などを載置台などの正面に飾り付けることで、より格式のある記念品として、重みのある贈答品として送られた家族の満足感を与えるものとなっている。
【０００５】
ところで、かかる節句飾りのうち、例えば雛人形や五月人形等については、部品点数が多くなるため、収容ケースが大型化する傾向がある。
核家族化が進む現代においてはアパートやマンションのように比較的狭い住宅環境で生活する消費者も多い。そのため、節句飾りは、省スペース化に対応したコンパクトな製品が望まれている。
【先行技術文献】
【特許文献】
【０００６】
【特許文献１】実用新案登録第３０１３８５０号公報
【考案の概要】
【考案が解決しようとする課題】
【０００７】
しかしながら、節句用置台や収容ケースが、省スペース化に対応したコンパクトな製品となっても、格式ある、重みのある贈答品という点では変わりなく、家紋も、これまでのように、ケース台に着けることが行われている。
しかし、ケース台がコンパクト化することによって、これまでのようなサイズの家紋の装着スペースの確保が難しくなっている。
本考案は、以上のような課題を改善するために提案されたものであって、節句飾りがコンパクト化しても、家紋の取り付け場所を考慮することで、従前のように格式ある贈答品にふさわしい、品格のある家紋を取り付けることが可能な、節句飾りを提供することを目的とする。
【課題を解決するための手段】
【０００８】
上記課題を改善するために請求項１にかかる本考案では、節句飾り本体と、節句飾り本体が収容される方形立方体状の収容ケースからなる節句飾りであって、節句飾り本体が位置固定された底板と、節句飾り本体の後方に立設される背板と、節句飾り本体前面側より少なくとも背板上部が透視される透視板とよりなる方形立方体状の収容ケースと、透視板に透視される背板に突設された状態で背板に固設される円形台座と、節句飾りの節句に対応する夫々異なる画像が描画された円形のシール板と、円形台座の表面に形成され円形のシール板を選択可能に取り付けるシール板取付け面と、を具備することを特徴とする。
【０００９】
これにより、節句飾りがコンパクト化しても、背板に設けられた円形台座のシール板取付け面に、節句飾りの節句に対応する夫々異なる画像が描画された円形のシール板を選択して取り付けることで、節句という行事に送り先にふさわしい様々な独特の意味合いをこめることができる。
したがって、節句飾りを、従前のように格式ある贈答品とすることができる。
【００１０】
また、請求項２にかかる本考案では、円形のシール板に形成される画像は、節句飾りの送り先若しくは送り元の家紋であることを特徴とする。
【００１１】
これにより、節句飾りをコンパクト化しても、これまでのようなサイズの家紋を描画したシール板を、円形台座上のシール板取付け面に取り付けることができる。
【００１２】
また、請求項３にかかる本考案では、シール板に形成される画像は、節句飾りの送り先若しくは送り元の記念の写真であることを特徴とする。
【００１３】
これにより、シール板に送り先若しくは送り元の記念の写真を、取り付けることで、節句飾りを送り元の気持ちがこもったものとすることができる。
【００１４】
また、請求項４にかかる本考案では、シール板に形成される画像は、節句飾りの送り先若しくは送り元の記念のメッセージであることを特徴とする。
【００１５】
これにより、その節句という行事における送り先若しくは送り元の気持ちを明確に表現することができ、長年に亘り、記憶に留め置くことができる。
【００１６】
また、請求項５にかかる本考案では、円形台座に設けられたシール板取付け面は中心軸に同心状に形成される円形凹部であって、凹部にシール板を粘着する粘着材を介して面一となるように形成されることを特徴とする。
【００１７】
これにより、節句に対応する夫々異なる画像が描画された円形のシール板を選択して簡単に取り付けることができるが、円形台座とそのシール板とが、外観上、当初からあたかも一体なものとして印象付けることができ、品格が損なうことのないハイグレードな審美性を維持することができる。
【００１８】
また、請求項６にかかる本考案では、円形台座は、背板に固定する固定具を備え、固定具は、円形台座の凹部に埋没させる構成としている、ことを特徴とする。
【００１９】
これにより、固定具の存在を隠すことで、外見を損なうようなことはない。
【００２０】
また、請求項７にかかる本考案では、背板の裏面には、固定具を覆う第２のシールが設けられていることを特徴とする。
【００２１】
これにより、節句飾りの収容ケースの背面である、背板の裏面からも、固定具が露出することはなく、外観上の印象を損なうことはない。
【００２２】
また、請求項８にかかる本考案では、背板は、方形立方体状の収容ケースの一辺上にヒンジを介して開閉可能に取着されている、ことを特徴とする。
【００２３】
これにより、節句に対応する夫々異なる画像が描画された円形のシール板を選択して取り付けるという作業を容易化することができ、展示販売される店先においても、購買する送り元の要望に対応することができる。
【００２４】
また、請求項９にかかる本考案では、収容ケースは、背板および底板を除く三面の側面と上面により節句飾り本体を囲繞する透明ケース体と、背板と底板が一体化した非透明体とを有し、透明ケース体は、非透明体に対し、ヒンジを介して開閉可能に取着されている、ことを特徴とする。
【００２５】
これにより、背板と底板とを残して透明ケース体を開いて、背板に取り付けられる円形台座のシール板を露出することができ、シール板の取り付け作業の容易化を図ることができる。
【００２６】
また、請求項１０にかかる本考案では、収容ケースは、背板を除く三面の側面と上面により節句飾り本体を囲繞する透明ケース体と、非透明体からなる背板とを有し、背板は、透明ケース体に対し、ヒンジを介して開閉可能に取着されている、ことを特徴とする。
【００２７】
これにより、背板を残して透明ケース体を開いて、背板に取り付けられる円形台座のシール板を露出することができ、シール板の取り付け作業の容易化を図ることができる。
【００２８】
さらに、請求項１１にかかる本考案では、節句飾り本体は、五月人形、三月人形、あるいは兜および弓矢のいずれかである、ことを特徴とする。
【００２９】
これにより、送り先の節句の行事にふさわしい、節句飾り本体を選択することができる。
【考案の効果】
【００３０】
本考案によれば、以前に比べて、節句飾りがコンパクト化したにもかかわらず、従前のように格式ある贈答品にふさわしい家紋をシール板に取り付けることができる。
またシール板には、家紋だけでなく、例えば送り先の記念写真、あるいは、送り元の写真、名前若しくはメッセージなど様々な独特の意味合いを持たせることができ、当事者のみに対応した唯一無二の価値ある贈答品とすることができる。
【図面の簡単な説明】
【００３１】
【図１】本考案にかかる節句飾りの第１実施形態を示す斜視図である。
【図２】図１に示す節句飾りの背板側を分解して示した、一部分解斜視図である。
【図３】（ａ）節句飾りのケース本体の一例を示す斜視図、（ｂ）ケース本体を開いた状態を示す斜視図である。
【図４】図２に示す背板に設けられた円形台座およびシール板の拡大的な分解斜視図である。
【図５】図３に示すシール板を取り付けるための円形台座の断面図である。
【図６】（ａ）節句飾りの第２実施形態を示すケース本体の斜視図、（ｂ）ケース本体から背板を開いた状態を示す斜視図である。
【図７】第３実施形態にかかる円形台座の断面図である。
【図８】第４実施形態にかかる円形台座の断面図である。
【考案を実施するための形態】
【００３２】
以下、本考案にかかる実施形態について図面を用いて詳細に説明する。なお、以下の実施形態に記載されている構成部品の寸法、材質、形状、その相対位置などは特に特定的な記載がない限り、この考案の範囲をそれのみに限定する趣旨ではなく、単なる説明例にすぎない。
【００３３】
（第１実施形態）
図１に、本考案にかかる節句飾り１の一例を示す。
節句飾り１は、節句飾り本体２と、節句飾り本体２が収容される方形立方体状の収容ケース３からなる。ここで、節句飾り本体２とは、例えば様々な節句行事で用いられる、五月人形、三月人形、あるいは兜および弓矢等を想定している。なお、ここでは、節句飾り本体２としていわゆる“破魔矢”を一例に挙げて示している。“破魔矢”の由来、意味合いはここでは省略する。
【００３４】
収容ケース３は、節句飾り本体２が位置固定された底板４と、節句飾り本体２の後方に立設される背板５と、節句飾り本体２前面側より少なくとも背板５上部が透視される透視板とよりなる（図２参照）。
すなわち、収容ケース３は、背板５および底板４を除く三面の側面と上面により節句飾り本体２を囲繞する透明ケース体３１と、背板５と底板４が一体化した非透明体３２とを有する（図３（ａ）、図３（ｂ）参照）。
【００３５】
透明ケース体３１は、図示されるように、直方体形状の枠体３１ｆに背板５および底板４を除く三面の側面と上面に透視板、すなわち、ガラス板、好ましくは透明性樹脂板（例えばメタクリル樹脂板）が嵌められた構造となっている。かかる透明ケース体３１の枠体３１ｆは、非透明体３２である底板４上にあって、後述するが、底板４に立設する背板５と、例えばロック具（マグネットキャッチ）ｍｃ、ヒンジｈｇを介して開閉可能に取着されている。
【００３６】
次に、非透明体における背板５には、突設された状態で円形台座６が固設されている（図１、図２参照）。
円形台座６は、図４に示すように全体が円形蓋状に加工されたもので、中心軸に同心状に形成される円形凹部６１が設けられている。また、円形凹部６１には、鉛直方向に貫く中心軸に沿って、さらに段差加工された中央凹部６２を有している。かかる中央凹部６２は底部６２ｂが平らで、円形台座６を背板５に当接させる際に、円形台座６の外縁部６ｅと底部６２ｂが背板５の表面に密接するようになっている（図５参照）。さらに、中央凹部６２の底部６２ｂには、後述する固定具を挿通する挿通穴６２ｈが穿設されている。
【００３７】
そして、かかる円形台座６は背板５に固定するために、背板５の表面から裏面に向けて背板５のボルト穴５ｈを挿通した固定具としてボルト７ｂと、背板５の裏面からボルト７ｂに螺入するナット７ｎとを備えている。
上記固定具は、背板５のボルト穴５ｈに、円形台座６における中央凹部６２の底部６２ｂの挿通穴６２ｈを位置合わせた状態で、円形台座６を背板５に当接させた状態で、背板５の表面から裏面に向けてボルト７ｂを挿通し、背板５の裏面からボルト７ｂにナット７ｎを締付けて固定する構成である。
このとき、ボルト７ｂは円形台座６における中央凹部６２を通って、底部６２ｂの挿通穴６２ｈ、背板５のボルト穴５ｈを介して挿通されている。ボルト７ｂの頭部は円形台座６における中央凹部６２に埋没した状態となっている。
そして、ボルト穴５ｈを介して挿通されナット７ｎがボルト７ｂに締付けられた背板５の裏面は、好ましくは背板５の裏面と同色の第２のシール８で覆われるようになっている。
【００３８】
以上のように背板５に固定される円形台座６について、さらに説明する。
円形台座６の円形凹部６１の表面には、図４に示すように節句飾り本体２に対応した模様が施されている。かかる模様は、円形台座６の素材によって、エッチングしたり、凹凸状に刻設したり、色彩を施して模様付けすることができる。
そして、かかる円形凹部６１には、シール板取付け面として、節句飾り１の節句に対応する夫々異なる画像が描画された円形のシール板１０が粘着材１１を介して一体的に粘着されるようになっている。
この時、シール板１０は、円形凹部６１に、円形台座６の周縁表面と段差がないように、面一となるように粘着されるようになっている（図５参照）。
【００３９】
そして、シール板１０には、節句飾り１の節句に対応する夫々異なる画像が描画されるようなっている（図４参照）。
例えば、シール板１０に形成される画像は、節句飾りの送り先若しくは送り元の家紋が可能である。この場合、家紋は、円形台座６の円形凹部６１の大きさに適合する円形のシール板１０の大きさのものとすることができる。このため、節句飾りをコンパクト化しても、従前のように格式ある贈答品にふさわしい大きさの家紋をシール板１０に取り付けることができる。
【００４０】
同様に、シール板１０に形成される画像には、節句飾り１の送り先若しくは送り元の記念の写真が可能である。写真によって、送り先は長年に亘り、変わらない思い出として記憶に留め置くことができる。また、贈られたことに対して感謝の思いを記憶に留め置くことができる。
【００４１】
さらに、シール板１０に形成される画像には、節句飾りの送り先若しくは送り元の記念のメッセージが可能である。かかるメッセージは、その節句という行事における送り先若しくは送り元の気持ちを明確に表現するのに大きな効果がある。
【００４２】
以上のような、第１実施形態にかかる節句飾り１によれば、節句飾り１がコンパクト化しても、背板５に設けられた円形台座６の円形凹部６１であるシール板取付け面に、節句飾り１の節句に対応する夫々異なる画像が描画された円形のシール板１０を選択して取り付けることで、節句という行事に送り先にふさわしい様々な独特の意味合いをこめることができる。
【００４３】
ところで、シール板１０に形成される画像を選択して円形台座６の円形凹部６１に取り付けるときは、図３（ｂ）に示すように、節句飾り本体２を囲繞する透明ケース体３１を、底板４に立設する背板５から、ヒンジｈｇを介して節句飾り本体２が露出するように開放操作をする。これにより、背板５と底板４とを残して透明ケース体３１を開いて、背板５に取り付けられる円形台座６のシール板１０を露出することができ、シール板１０の取り付け作業の容易化を図ることができる。
このように、節句に対応する夫々異なる画像が描画された円形のシール板１０を選択して取り付けるという作業を容易化することができ、展示販売される店先においても、購買する送り元の要望に対応することができる。
【００４４】
次に、選択された画像が形成されているシール板１０を粘着材１１を介して、円形台座６の円形凹部６１の表面に粘着させる（図４参照）。
これにより、シール板１０は、円形凹部６１に、円形台座６の周縁表面と段差がないように、面一となるように粘着することができる（図５参照）。
このように、節句に対応する夫々異なる画像が描画された円形のシール板１０を選択して簡単に取り付けることができるが、円形台座６とそのシール板１０とが、外観上、当初からあたかも一体なものとして印象付けることができ、品格が損なうことのないハイグレードな審美性を維持することができる。
【００４５】
なお、背板５に取り付けられる円形台座６は、背板５のボルト穴５ｈに、円形台座６における中央凹部６２の底部６２ｂの挿通穴６２ｈを位置合わせた状態で、背板５の表面から裏面に向けてボルト７ｂを挿通し、背板５の裏面からボルト７ｂにナット７ｎを締付けて固定されている。
このとき、ボルト７ｂは円形台座６における中央凹部６２を通って、底部６２ｂの挿通穴６２ｈ、背板５のボルト穴５ｈを介して挿通され、ボルト７ｂの頭部は円形台座６における中央凹部６２に埋没した状態となっているため、固定具であるボルト７ｂは露出することはなく、外見を損なうようなことはない。
【００４６】
また、ボルト穴５ｈを介して挿通されナット７ｎがボルト７ｂに締付けられた背板５の裏面は、背板５の裏面と同色の第２シール８で覆われているため、節句飾り１の収容ケース３の背面である、背板５の裏面からも、固定具が露出することはなく、外観上の印象を損なうことはない。
【００４７】
以上、第１実施形態にかかる節句飾り１について、説明した。
本考案にかかる節句飾りは、以下のように構成することもできる。
【００４８】
（第２実施形態）
先ず、収容ケース３の開閉構造として、図６（ａ）、図６（ｂ）に示すように、背板５を除く三面の側面と上面により節句飾り本体２を囲繞する透明ケース体３１と、非透明体からなる背板５とを有し、背板５は、透明ケース体３１に対し、例えばロック具（マグネットキャッチ）ｍｃ、ヒンジｈｇを介して開閉可能に取着されている。
これにより、背板５を透明ケース体３１から開いて、背板５に取り付けられる円形台座６の円形凹部６１を露出することができ、シール板１０の取り付け作業の容易化を図ることができる。背板５を開くと、節句飾り本体２は、透明ケース体３１内の底板４に載置された状態にあるので、作業者は、節句飾り本体２に邪魔されることなく、シール板１０の取り付け作業を行うことができる。
【００４９】
（第３実施形態）
また、円形台座６の背板に固定する固定具としては、図７に示すように、円形台座６の円形凹部６１の裏面側に、直接、ねじ部材２０を突設し、一方背板５側には、ねじ部材２０が螺入可能なねじ穴５ｓｈが刻設されている。そして、ねじ部材２０の先端は背板５の裏面側に突出しており、かかるねじ部材２０先端が露出しないように裏面と同色の第２シール８で覆われている。
【００５０】
（第４実施形態）
なお、同様な固定具としては、変形例として図８の固定具も可能である。
この場合、円形台座６の円形凹部６１の裏面側に突設されたねじ部材３０が中空の部材で外径が図７のねじ部材２０に比較して略３倍ほどのものである。また、背板５には、ねじ部材３０が螺入できるように円形穴５ｃｈに雌ねじが刻設されている。この場合も、ねじ部材３０の先端は背板５の裏面側に突出しており、かかるねじ部材３０先端が露出しないように裏面と同色の第２シール８で覆われている。
【００５１】
第４実施形態の固定具では、ねじ部材３０の径が、第３実施形態のねじ部材２０に比較して略３倍あるので、固定具による保持力が大きく、円形台座６が背板５上で回ることなく、円形台座６をより安定して支えることができる。
【産業上の利用可能性】
【００５２】
以上、本考案によれば、以前に比べて、節句飾りがコンパクト化したにもかかわらず、従前のように格式ある贈答品にふさわしい家紋をシール板に取り付けることができる。
またシール板には、家紋だけでなく、例えば送り先の記念写真、あるいは、送り元の写真、名前若しくはメッセージなど様々な独特の意味合いを持たせることができ、当事者のみに対応した唯一無二の価値ある贈答品とすることができる。
なお、本考案では、節句飾りについて家紋が取りけられるようにすることで、従前のように格式ある贈答品とすることができたので、他の縁起物、装飾品、記念品など、家宝としての価値を見出されるものに対してシール板を取り付けることが考えられる。
【符号の説明】
【００５３】
１    節句飾り
２    節句飾り本体
３    収容ケース
３１  透明ケース体
３１ｆ枠体
３２  非透明体
４    底板
５    背板
５ｈ  ボルト穴
５ｓｈねじ穴
６    円形台座
６ｅ  外縁部
６１  円形凹部
６２  中央凹部
６２ｂ底部
６２ｈ挿通穴
７ｂ  ボルト
７ｎ  ナット
８    第２シール
１０  シール板
１１  粘着材
２０  ねじ部材
３０  ねじ部材
５ｃｈ  円形穴
ｍｃ    マグネットキャッチ
ｈｇ    ヒンジ
【図１】
0003185461.tif 000003
【図２】
0003185461.tif 000004
【図３】
0003185461.tif 000005
【図４】
0003185461.tif 000006
【図５】
0003185461.tif 000007
【図６】
0003185461.tif 000008
【図７】
0003185461.tif 000009
【図８】
0003185461.tif 000010